(57)【要約】【課題】車載端末装置に搭載された磁気記録媒体の動作状態を把握し、磁気記録媒体に記録されたプログラムデータやシステム起動に必要な情報が破壊されても車載情報端末装置を起動することができると共に磁気記録場体を元の状態に復元することができる車載情報端末装置及び情報端末システムを提供する。【解決手段】車載情報端末装置に備えられた磁気記録媒体の記録データを診断手段で診断し診断手段の診断結果で磁気記録媒体が異常であると診断されると、臨時起動動作プログラム保存手段に保存された臨時起動動作プログラムから車載情報端末装置を起動させるように構成しているので、磁気記録媒体が読み取り不可能や起動動作プログラムが壊れたことによって車載情報端末装置が起動しなくなっても、自動的に臨時プログラムに切替えて車載情報端末装置を起動させて使用することができる。【選択図】  図１
2007226284.tif 000002
【特許請求の範囲】
【請求項１】
起動動作プログラムが保存された磁気記録媒体を備えた車載情報端末装置であって、
前記磁気記録媒体の動作状態の診断を行う診断手段と、
前記診断手段の診断と同時に前記磁気記録媒体の記録データの複製を保存する複製保存手段と、
前記磁気記録媒体の異常時に前記車載情報端末を起動動作させる臨時起動動作プログラムが保存された臨時起動動作プログラム保存手段と、
前記診断手段の診断結果に基づいて前記臨時起動動作プログラム保存手段から臨時起動動作プログラムを読み出し前記車載情報端末装置を起動させる起動制御手段と、を備えることを特徴とする車載情報端末装置。
【請求項２】
起動動作プログラムが保存された磁気記録媒体を備えた車載情報端末装置であって、
前記磁気記録媒体の動作状態の診断を行う診断手段と、
前記診断手段の診断と同時に前記磁気記録媒体の記録データの複製を保存する複製保存手段と、
前記磁気記録媒体の異常時に前記車載情報端末を起動させる臨時起動動作プログラムが保存された臨時起動動作プログラム保存手段と、
前記診断手段の診断結果に基づいて前記臨時起動動作プログラム保存手段から臨時起動動作プログラムを読み出し前記車載情報端末装置を起動させる起動制御手段と、
前記診断手段の診断結果と前記磁気記録媒体の記録データを外部に送受信を行う送受信手段と、
を備えることを特徴とする車載情報端末装置。
【請求項３】
前記車載情報端末は、経路案内手段を備えると共に前記経路案内手段に用いる地図データが前記磁気記録媒体に保存されていることを特徴とする請求項１又は請求項２のいずれか一項に記載の車載情報端末装置。
【請求項４】
車載情報端末装置と情報端末サーバとの間で通信を行う情報端末システムであって、
前記車載情報端末装置は、
起動動作プログラムが保存された磁気記録媒体と、
前記車載情報端末装置を臨時に起動させる臨時起動動作プログラムが保存された臨時起動動作プログラム保存手段と、
前記磁気記録媒体の記録データの診断を行う診断手段と、
前記診断手段の診断結果を前記情報端末装置に送信すると共に前記情報端末サーバの動作指示に基づき前記磁気記録媒体の記録データを送信する送信手段と、
前記情報端末サーバから送信された動作指示を受信する受信手段と、
前記受信手段で受信した動作指示に基づき前記臨時起動動作プログラムで前記車載情報端末装置を起動させる起動制御手段とを備え、
前記情報端末サーバは、
前記車載情報端末装置と送受信を行う送受信手段と、
前記送信手段から送信された診断結果から前記磁気記録媒体の動作状態を判定する動作判定手段と、
前記動作判定手段の判定結果に基づいて前記磁気記録媒体の記録データを前記情報端末サーバに転送させる動作指示を行う動作指示手段と、
前記車載情報端末から送信された前記記録データを保存する記録データ保存手段と、を備えて構成されることを特徴とする情報端末システム。
【請求項５】
前記車載情報端末装置は、経路案内手段を備えると共に前記経路案内手段に用いる地図データが前記磁気記録媒体に保存されていることを特徴とする請求項４に記載の情報端末システム。
【請求項６】
前記情報端末サーバは、外部ネットワークと通信可能に構成されたことを
特徴とする請求項４又は請求項５に記載の情報端末システム。
【発明の詳細な説明】
【技術分野】
【０００１】
本発明は、車両に搭載される磁気記録媒体などのストレージ制御技術分野に関するものである。
【背景技術】
【０００２】
従来、大容量のデータを取り扱うことができるＨＤＤ（ハードディスク）等の磁気記録媒体が多くの製品に利用されている。特に、磁気記録媒体は大容量のデータを保存することができるため、パーソナルコンピュータやカーナビゲーション装置等の車載情報端末装置に多く用いられている。
【０００３】
このような磁気記録媒体は、磁気記録媒体が故障した時のために磁気記録媒体に記録したデータをバックアップする方法が取られており、磁気記録媒体のデータをバックアップをするためには、磁気ディスク装置とバックアップ用磁気ディスク装置とディスクエラー検出回路とバックアップ制御回路で構成し、磁気ディスク装置内のデータを、アクセスエラー発生状況により判断し、バックアップ用磁気ディスク装置へのバックアップを実施することにより、障害発生前にデータをバックアップするものが知られている（例えば、特許文献１）。
【特許文献１】特開平０９−６５４５号公報
【発明の開示】
【発明が解決しようとする課題】
【０００４】
しかしながら、パーソナルコンピュータのような磁気記録媒体では、磁気記録媒体に障害が発生した時にはバックアップしたハードディスクに交換したり、バックアップファイルからファイルを復元して使用することができるが、車載情報端末では、簡単にハードディスクを交換することが難しく、特に、車載情報端末装置のハードディスク等の磁気記録媒体に記録されているプログラムデータやシステム起動に必要な情報が読み取れなくなってしまうと、車載情報端末装置によって制御しているナビゲーション機能、エアコン、カーオディオ等の操作ができなくなってしまうおそれがあった。
【０００５】
そこで本発明は、車載端末装置に搭載された磁気記録媒体の動作状態を把握し、磁気記録媒体に記録されたプログラムデータやシステム起動に必要な情報が破壊されても車載情報端末装置を起動することができると共に磁気記録場体を元の状態に復元することができる車載情報端末装置及び情報端末システムを提供することを目的とする。
【課題を解決するための手段】
【０００６】
そこで、本発明の車載情報端末装置は、起動動作プログラムが保存された磁気記録媒体を備えた車載情報端末装置であって、前記磁気記録媒体の動作状態の診断を行う診断手段と、前記診断手段の診断と同時に前記磁気記録媒体の記録データの複製を保存する複製保存手段と、前記磁気記録媒体の異常時に前記車載情報端末を起動させる臨時起動動作プログラムが保存された臨時起動動作プログラム保存手段と、前記診断手段の診断結果に基づいて前記臨時起動動作プログラム保存手段から臨時起動動作プログラムを読み出し前記車載情報端末装置を起動させる起動制御手段と、を備えて構成されている。
【０００７】
このように構成された車載情報端末装置によれば、車載情報端末装置に備えられた磁気記録媒体の記録データを診断手段で診断すると共に前記磁気記録媒体の記録データの複製を複製保存手段に保存し、診断手段の診断結果で磁気記録媒体が異常であると診断されると、臨時起動動作プログラム保存手段に保存された臨時起動動作プログラムから車載情報
端末装置を起動させるように構成しているので、磁気記録媒体が読み取り不可能や起動動作プログラムが壊れたことによって車載情報端末装置が起動しなくなっても、自動的に臨時プログラムに切替えて車載情報端末装置を起動させて使用することができ、複製保存手段に保存された記録データを用いて使用することができると共に起動動作プログラムを修復した後に複製保存手段に保存された記録データを取り込むことで、故障する前の状態で車載情報端末装置を使用することができる。なお、起動動作プログラムとは、エアコン（空調）、燃費、オーディオ等を起動させて操作することができるプログラムであり、各機器毎に起動及び操作することが可能な起動動作プログラムとして構成してもよい。
【０００８】
また、本発明の車載情報端末装置は、起動動作プログラムが保存された磁気記録媒体を備えた車載情報端末装置であって、前記磁気記録媒体の動作状態の診断を行う診断手段と、前記診断手段の診断と同時に前記磁気記録媒体の記録データの複製を保存する複製保存手段と、前記磁気記録媒体の異常時に前記車載情報端末を起動させる臨時起動動作プログラムが保存された臨時起動動作プログラム保存手段と、前記診断手段の診断結果に基づいて前記臨時起動動作プログラム保存手段から臨時起動動作プログラムを読み出し前記車載情報端末装置を起動させる起動制御手段と、前記診断手段の診断結果と前記磁気記録媒体の記録データを外部に送受信を行う送受信手段と、を備えて構成されている。
【０００９】
このように構成された車載情報端末装置によれば、車載情報端末装置に備えられた磁気記録媒体の記録データを診断手段で診断すると共に前記磁気記録媒体の記録データの複製を複製保存手段に保存し、診断結果において磁気記録媒体が異常であると診断されると、臨時起動動作プログラム保存手段に保存された臨時起動動作プログラムから車載情報端末装置を起動させると共に、送信手段を用いて外部のサーバや記録媒体に複製保存手段に保存された記録データを転送することができるように構成しているので、磁気記録媒体が読み取り不可能や起動動作プログラムが壊れたことによって車載情報端末装置が起動しなくなっても、自動的に臨時プログラムに切替えて車載情報端末装置を起動させて使用することができ、また、磁気記録媒体の記録データを送信手段を用いて外部のサーバや記録媒体に記録データを転送することができ、起動動作プログラムを修復後に外部のサーバや記録媒体に保存された記録データを読み込み故障するまえの状態に戻すことができる。
【００１０】
また、本発明の車載情報端末装置は、経路案内手段を備えると共に前記経路案内手段に用いる地図データが前記磁気記録媒体に保存されて構成されている。
【００１１】
このように構成された車載情報端末装置によれば、車載情報端末装置の機能として、エアコン（空調調節）、オーディオ、燃費計算等の他に磁気記録媒体に地図データが保存され、目的地を設定して現在位置から目的地までの経路案内を行えるナビゲーション機能を備えた車載情報端末装置であり、このような機能を起動し制御するプログラムが起動動作プログラムに保存されており、磁気記録媒体から起動動作プログラムの読み込みができないときや、起動動作プログラムが故障してしまったときでも、臨時起動動作プログラムで車載情報端末装置を起動させて車載情報端末装置の機能を利用することができる。
【００１２】
また、本発明の情報端末システムは、車載情報端末装置と情報端末サーバとの間で通信を行う情報端末システムであって、前記車載情報端末装置は、起動動作プログラムが保存された磁気記録媒体と、前記車載情報端末装置を臨時に起動させる臨時起動動作プログラムが保存された臨時起動動作プログラム保存手段と、前記磁気記録媒体の記録データの診断を行う診断手段と、前記診断手段の診断結果を前記情報端末装置に送信すると共に前記情報端末サーバの動作指示に基づき前記磁気記録媒体の記録データを送信する送信手段と、前記情報端末サーバから送信された動作指示を受信する受信手段と、前記受信手段で受信した動作指示に基づき前記臨時起動動作プログラムで前記車載情報端末装置を起動させる起動制御手段とを備え、前記情報端末サーバは、前記車載情報端末装置と送受信を行う
送受信手段と、前記送信手段から送信された診断結果から前記磁気記録媒体の動作状態を判定する動作判定手段と、前記動作判定手段の判定結果に基づいて前記磁気記録媒体の記録データを前記情報端末サーバに転送させる動作指示を行う動作指示手段と、前記車載情報端末から送信された前記記録データを保存する記録データ保存手段と、を備えて構成されている。
【００１３】
このように構成された情報端末システムによれば、車載情報端末装置に備えた磁気記録媒体に記録されている記録データの読取が正常にできるか否かの診断、読取時間の診断、読取エラーの回数の診断等を行い、診断を行った結果を情報端末サーバに送信し、動作判断手段を用いて磁気記録媒体の動作状態を判断し、磁気記録媒体の動作状態が好ましくないと判断されると、情報端末サーバから車載情報端末装置に磁気記録媒体の記録データを転送させるように動作指示を送信し、動作指示を受信した車載情報端末装置は、磁気記録媒体に保存されている記録データを転送し情報端末サーバの記録データ保存手段に保存するので、車載情報端末装置の磁気記録媒体が壊れる前に記録されている記録データを情報端末サーバにバックアップを作成するので、磁気記録媒体が故障する前に予測することができると共に、磁気記録媒体が故障して起動動作プログラムが読み込めなくなったときでも、臨時起動動作プログラムを用いて起動させることができる。
【００１４】
また、本発明の情報端末システムの前記車載情報端末装置は、経路案内手段を備えると共に前記経路案内手段に用いる地図データが前記磁気記録媒体に保存されて構成されている。
【００１５】
このように構成された情報端末システムによれば、エアコン（空調）、オーディオ、燃費の計算等の機能の他に目的地を設定して経路案内を行うことができる経路案内手段を備えた一体型の車載情報端末装置でも、磁気記録媒体に保存されている各起動動作プログラムで起動できないときでも、臨時起動動作プログラムで車載情報端末装置を起動させて車載情報端末装置の機能を利用することができ、経路案内手段で使用した目的地や履歴情報等を情報端末サーバに磁気記録媒体の記録データとして保存することができる。
【００１６】
また、本発明の情報端末システムの前記情報端末サーバは、外部ネットワークと通信可能に構成されている。
【００１７】
このように構成された情報端末システムによれば、車載情報端末装置の磁気記録媒体の起動動作プログラムが故障した場合でも、情報端末サーバに設けられた外部ネットワークを利用して車載情報端末装置の新しい起動動作プログラムをネットワーク上からダウンロードして、車載情報端末装置の起動動作プログラムを書き換えることができると共に起動動作プログラムを書き換えた後に記録データ保存手段に保存された磁気記録媒体の記録データを転送して使用することができる。なお、外部ネットワークとは、ＷＡＮ（ｗｉｄｅ
ａｒｅａ ｎｅｔｗｏｒｋ）やＬＡＮ（ｌｏｃａｌ  ａｒｅａ  ｎｅｔｗｏｒｋ）等を利用することができるように構成されており、ＷＡＮやＬＡＮから車載情報端末装置向けのコンテンツを必要に応じてダウンロードできる。
【００１８】
さらに、本発明の情報端末システムは、車載情報端末装置と情報端末サーバとの間で通信を行う情報端末システムであって、前記車載情報端末装置は、起動動作プログラムが保存された磁気記録媒体と、前記車載情報端末装置を臨時に起動させる臨時起動動作プログラムが保存された臨時起動動作プログラム保存手段と、前記磁気記録媒体の記録データの診断を行う診断手段と、前記診断手段の診断と同時に前記磁気記録媒体の記録データの複製を保存する複製保存手段と、前記診断手段の診断結果を前記情報端末装置に送信すると共に前記情報端末サーバの動作指示に基づき前記磁気記録媒体の記録データを送信する送信手段と、前記情報端末サーバから送信された動作指示を受信する受信手段と、前記受信
手段で受信した動作指示に基づき前記臨時起動動作プログラムで前記車載情報端末装置を起動させる起動制御手段とを備え、前記情報端末サーバは、前記車載情報端末装置と送受信を行う送受信手段と、前記送信手段から送信された診断結果から前記磁気記録媒体の動作状態を判定する動作判定手段と、  前記動作判定手段の判定結果に基づいて前記磁気記録媒体の記録データを前記情報端末サーバに転送させる動作指示を行う動作指示手段と、前記車載情報端末から送信された前記記録データを保存する記録データ保存手段と、を備えて構成されている。
【００１９】
このように構成された情報端末システムによれば、車載情報端末装置に設けられた磁気記録媒体の記録データの診断を行うと共に前記磁気記録媒体の記録データの複製を複製保存手段に保存し、診断結果を情報端末サーバに送信して動作判定手段を用いて磁気記録媒体の動作状態を判定し、動作状態が悪いと判定すると磁気記録媒体に記録された記録データを情報端末サーバに送信させて記録データ保存手段に保存すると共に臨時起動動作プログラムで車載情報端末装置を起動させることができるので、車載情報端末装置の磁気記録媒体の起動動作プログラムで起動できなくなる前に、磁気記録媒体の記録データを情報端末サーバに転送して保存することができると共に車載情報端末装置が起動動作プログラムで起動できなくても臨時起動動作プログラムから車載情報端末装置を起動させて利用することができる。
【００２０】
また、本発明の情報端末システムの前記車載情報端末装置は、経路案内手段を備えると共に前記経路案内手段に用いる地図データが前記磁気記録媒体に保存されて構成されている。
【００２１】
このように構成された情報端末システムによれば、エアコン（空調）、オーディオ、燃費の計算等の機能の他に目的地を設定して経路案内を行うことができる経路案内手段を備えた一体型の車載情報端末装置でも、磁気記録媒体に保存されている各起動動作プログラムで起動できないときでも、臨時起動動作プログラムで車載情報端末装置を起動させて車載情報端末装置の機能を利用することができ、経路案内手段で使用した目的地や履歴情報等を情報端末サーバに磁気記録媒体の記録データとして保存することができる。
【００２２】
また、本発明の情報端末システムの前記情報端末サーバは、外部ネットワークと通信可能に構成されている。
【００２３】
このように構成された情報端末システムによれば、車載情報端末装置の磁気記録媒体の起動動作プログラムが故障した場合でも、情報端末サーバに設けられた外部ネットワークを利用して車載情報端末装置の新しい起動動作プログラムをネットワーク上からダウンロードして、車載情報端末装置の起動動作プログラムを書き換えることができると共に起動動作プログラムを書き換えた後に記録データ保存手段に保存された磁気記録媒体の記録データを転送して使用することができる。
【発明の効果】
【００２４】
このように構成された本発明は、車載情報端末装置の磁気記録媒体の記録データの診断を診断手段で行い、起動動作プログラムが故障又は破壊した場合でも、臨時起動動作プログラムで車載情報端末装置を起動することができる。また、診断手段を用いて磁気記録媒体の記録データの診断を行い、その診断結果を情報端末サーバに送信して磁気記録媒体の動作状態を判定して、磁気記録媒体の動作が悪いと判断したときには、磁気記録媒体の記録データを車載情報端末装置から情報端末サーバの記録データ保存手段に転送して保存し、臨時起動動作プログラムで車載情報端末装置を起動させることができる。
【発明を実施するための最良の形態】
【００２５】
（第１の実施の形態）
以下、本発明の第１の実施の形態について、図面を用いて詳細に説明する。図１は、本発明の第１の実施の形態における車載情報端末装置の構成を示すブロック図である。
【００２６】
図１に示すように本発明の車載情報端末装置Ｎは、車載情報端末装置Ｎの情報を表示する表示部１と、車載情報端末装置Ｎを制御するＣＰＵ２（診断手段、起動制御手段）と、車載情報端末装置Ｎを動作させるアプリケーションデータ、ソフトウエアデータが保存されたＨＤＤ３（磁気記録媒体）と、車載情報端末装置の動作時に使用するメモリ４と、ＨＤＤ３のデータをＣＰＵ２の指示に基づいて保存する第一記録部５（複製保存手段）と、ＣＰＵ２の指示に基づいて臨時に車載情報端末装置Ｎを起動させるプログラムを備えた第二記録部６（臨時起動動作プログラム保存手段）とを備えて構成されている。
【００２７】
ここで、表示部１は、車載情報端末装置Ｎの機能としてあるエアコン、オーディオ、テレビ、ナビゲーション等の動作に関しての設定項目を表示すると共に、表示された項目を選択して設定することができるようにタッチパネル式による入力ができるように構成されている。また、表示部１は、エアコンの温度表示や、吹き出し口の表示、ラジオの表示、オーディオソースの選択画面の表示、楽曲選択の表示、ナビゲーションによる地図表示等ができるように構成されている。
【００２８】
ＣＰＵ２は、車載情報端末装置Ｎを制御すると共に、ＨＤＤ３に保存されているエアコン、オーディオ、テレビ、ナビゲーション等の起動動作プログラムを読み出して、車載情報端末装置の各機能を動作させることができるように構成されている。また、ＣＰＵ２には、ＨＤＤ３に記録されている記録データを診断する診断部を備えており、ＣＰＵ２からＨＤＤ３との間で記録データの読取の失敗回数や読取時間の変動や読み取り不可等を診断部で監視すると共に診断時にＨＤＤ３の記録データを第一記録部５に複製（コピー）するように構成している。また、読取の失敗回数が１０回以上生じた場合や、読取時間が遅くなった場合や読取ができないときは、ＨＤＤ３からのデータの読み込みをやめ、第二記録部６に保存されている臨時起動動作プログラムから車載情報端末装置Ｎを起動させるように構成されている。なお、本発明の実施の形態において、ＣＰＵ２の診断部の処理として読取の失敗回数が１０回以上としたきに、ＨＤＤ３が異常があると判断するものとして説明する。
【００２９】
ＨＤＤ３は、車載情報端末装置Ｎにある機能のエアコン、オーディオ、テレビ、ナビゲーション等の起動動作プログラムや動作プログラム等の起動動作プログラムや、各機能で設定した設定項目などが保存されている。また、オーディオに使用する音楽ＣＤからリッピングした音楽データや、ナビゲーション機能に使用する地図データや走行履歴等も保存可能に構成されている。
【００３０】
メモリ４は、車載情報端末装置Ｎの動作時に一時的にＨＤＤ３のデータやＣＰＵ２のデータを保存するものであり、特に限定されるものではない。
【００３１】
第一記録部５は、ＣＰＵ２の診断部の指示に基づき、ＨＤＤ３に記録している記録データの複製を保存することができるように構成されており、第一記録部５として、フラッシュメモリ、ハードディスクドライブ等の記録媒体を使用することができる。また、ＣＤやＤＶＤ等のドライブ及び記録媒体を備えておき、複製する際にＣＤやＤＶＤに記録データを書き込むように構成してもよい。
【００３２】
第二記録部６は、診断部の診断結果においてＨＤＤ３から読み込みを止めた（停止）時に、車載情報端末装置Ｎを起動させるための臨時起動動作プログラムが保存されている。なお、第二記録部６としてどのような記録媒体を用いることができ、例えば、ＲＯＭ等の
記録媒体に臨時起動動作プログラムを保存しておくよう構成してもよい。
【００３３】
次に、車載情報端末装置Ｎの動作についてフロー図を用いて詳細に説明する。
図２は、第一の実施の形態における車載情報端末装置の動作を示すフロー図である。
【００３４】
図２に示すように、車載情報端末装置Ｎに電源が投入（車のイグニッションキーＯＮ又はＡＣＣ電源ＯＮ）されると（Ｓ１）、車載情報端末装置ＮのＨＤＤ３から車載情報端末装置Ｎを動作させるための起動動作プログラムが読み込むこまれる（Ｓ２）。そして、ＣＰＵ２の診断部で起動動作プログラムの診断と共にＨＤＤ３の記録データを第一記録部５に複製して保存する（Ｓ３）。このとき、ＨＤＤ３から起動動作プログラムの読み込みに失敗すると（Ｓ４、ＮＯ）、再度、ＨＤＤ３から起動動作プログラムの読み込みを繰り返し、読み込み失敗回数が１０回未満で読み込めたか否かで判断する（Ｓ５）。なお、。ＨＤＤ３から起動動作プログラムが問題なく読み込めたときは（Ｓ４，ＹＥＳ）、ＨＤＤ３を使って車載情報端末装置Ｎを動作させる。
【００３５】
このとき、ＨＤＤ３から読み込み失敗回数が１０回以上となった場合（Ｓ５、ＮＯ）、ＨＤＤ３からの読み込めを停止し（Ｓ６）、ＣＰＵ２は、第二記録部６に保存されている臨時起動動作プログラムを読み込み（Ｓ７）、臨時起動動作プログラムで車載情報端末装置Ｎを起動させて動作させる（Ｓ８）。
【００３６】
なお、ＨＤＤ３からの起動動作プログラムの読み込み回数が１０回未満で読み込みができたときは（Ｓ５、ＹＥＳ）、ＣＰＵ２の診断部がＨＤＤ３の動作が不安定であるか否かを診断する（Ｓ９）。この時、ＨＤＤ３の動作が不安定でない（Ｓ９、ＹＥＳ）と診断すると、ＨＤＤ３は異常なしと診断しＨＤＤ３を使って車載情報端末装置Ｎを動作させる。
【００３７】
また、ＣＰＵ２の診断部が、ＨＤＤ３の動作が不安定であると診断すると（Ｓ９、ＮＯ）、ＨＤＤ３からの読み込めを停止し（Ｓ６）、ＣＰＵ２は、第二記録部６に保存されている臨時起動動作プログラムを読み込み（Ｓ７）、臨時起動動作プログラムで車載情報端末装置Ｎを起動させて動作させる（Ｓ８）。
【００３８】
このように構成された車載情報端末装置Ｎは、車載情報端末装置Ｎに電源が投入されると、ＨＤＤ３に保存されている起動動作プログラムを読み込みを行い、ＨＤＤ３の記録データを第一記録部５に複写すると共にＨＤＤ３の動作状態を診断するので、ＨＤＤ３に保存されている起動動作プログラムが読み込めなくても（起動できなくても）、第二記録部６から臨時起動動作プログラムを読み出して起動することができる。また、ＨＤＤ３の起動動作プログラムが読み込みができなくなる前までの記憶データが第一記録部５に保存されているので、臨時起動プログラムから車載情報端末装置Ｎを起動させて第一記録部５に複製した記憶データをＨＤＤ３に転送して車載情報端末装置Ｎを使用することができる。
【００３９】
（第２の実施の形態）
次に、第２の実施の形態について図面を用いて詳細に説明する。なお、第１の実施の形態と同様の箇所は同じ符号を付し、詳細な説明は省略する。
図３は、本発明の第２の実施の形態における車載情報端末装置と情報端末サーバで構成された情報端末システムの構成を示すブロック図である。図４は、第２の実施の形態における車載情報端末装置の読み込み処理を示すフロー図である。
【００４０】
図３に示すように、情報端末システムＷは、車載情報端末装置Ｎと情報端末サーバＳから構成されている。
車載情報端末装置Ｎは、車載情報端末装置Ｎの情報を表示する表示部１と、車載情報端末装置Ｎを制御するＣＰＵ２（診断手段、起動制御手段）と、車載情報端末装置Ｎを動作
させるアプリケーションデータ、ソフトウエアデータ等の起動動作プログラムが保存されたＨＤＤ３（磁気記録媒体）と、車載情報端末装置の動作時に使用するメモリ４と、ＣＰＵ２の指示に基づいて臨時に車載情報端末装置Ｎを起動動作させるプログラムを備えた第二記録部６（臨時起動動作プログラム保存手段）と、情報端末サーバＳと通信を行う通信部７（送信手段、受信手段）を備えて構成されている。
【００４１】
ここで、通信部７は情報端末サーバＳや外部の通信網と通信が行えるように構成されており、ＣＰＵ２の診断部で診断結果を通信部７を介して情報端末サーバＳに送信したり、ＨＤＤ３の記録データを情報端末サーバＳに送信することができるように構成されている。なお、通信方式としては特に限定されるものではなく、車載情報端末装置Ｎと情報端末サーバＳが通信を行うことができるものであればよく、例えば、無線通信、光通信、携帯電話等用いて通信を行うことができるように構成されている。
【００４２】
情報端末サーバＳは、車載情報端末装置Ｎの通信部７から送信するＣＰＵ２の診断部の診断結果の受信や、ＨＤＤ３の記憶データの受信や、ＣＰＵ２に動作指示を通信部７と送受信を行う送受信部８と、車載情報端末装置Ｎから転送されてきたＨＤＤ３の記憶データを保存するバックアップ記憶部９（記録データ保存手段）と、車載情報端末装置ＮのＣＰＵ２の診断部での診断結果からＨＤＤ３の動作状態を判断すると共にＣＰＵ２にＨＤＤ３の記憶データを情報端末サーバＳに転送するように動作指示を行う判断部１０（動作判定手段、動作指示手段）を備えて構成されている。なお、送受信部８は、インターネットや他の情報サーバ等の外部のネットワークと接続可能に構成してもよい。
【００４３】
次に、情報端末システムＷの動作についてフロー図を用いて詳細に説明する。
図４は、第２の実施の形態における車載情報端末装置の動作を示すフロー図である。
【００４４】
図４に示すように、車載情報端末装置Ｎに電源が投入（車のイグニッションキーＯＮ又はＡＣＣ電源ＯＮ）されると（Ｓ１０）、車載情報端末装置ＮのＨＤＤ３から車載情報端末装置Ｎを動作させるための起動動作プログラムが読み込むこまれる（Ｓ１１）。このとき、ＨＤＤ３から起動動作プログラムの読み込みに失敗すると（Ｓ１２、ＮＯ）、読み込みに失敗した診断結果を情報端末サーバＳに送信する（Ｓ１３）。そして送受信部８で車載情報端末装置Ｎの通信部７から送信されてきた診断結果を受信し、受信した診断結果から判断部１０でＨＤＤ３の動作状態を判断する（Ｓ１４）。
【００４５】
このとき、判断部１０は受信した診断結果から読み込み失敗回数が１０回未満で読み込むことができたか否かで判断し（Ｓ１５）、診断結果において読み込み失敗回数が１０回以上となった結果がある場合には（Ｓ１５、ＮＯ）、情報端末サーバＳの判断部１０は送受信部８を介して車載情報端末装置ＮのＨＤＤ３の記憶データを情報端末サーバＳに転送するよう動作指示を行う（Ｓ１６）。
【００４６】
車載情報端末装置Ｎは、ＨＤＤ３の記憶データを情報端末サーバＳに転送するよう動作指示を受信すると、ＨＤＤ３の記憶データを情報端末サーバＳのバックアップ記憶部９に転送する（Ｓ１７）。そして、ＨＤＤ３の記憶データが全てバックアップ記憶部９に転送されたとＣＰＵ２が判断すると、バックアップ記憶部９にＨＤＤ３の記憶データの転送を終了する（Ｓ１８）。
【００４７】
そして、車載情報端末装置ＮはＨＤＤ３から起動動作プログラムの読み込みを停止し（Ｓ１９）、第二記録部６に保存されている臨時起動動作プログラムから（Ｓ２０）、車載情報端末装置Ｎを起動させる（Ｓ２１）。
【００４８】
なお、診断結果においてＨＤＤ３からの起動動作プログラムの読み込み回数が１０回未満
で読み込みができたときは（Ｓ１５、ＹＥＳ）、次に判断部１０は、ＨＤＤ３の動作が不安定であるか否かを診断結果から判断する（Ｓ２２）。この時、ＨＤＤ３の動作が安定していると判断すると（Ｓ２２、ＹＥＳ）、ＨＤＤ３に対して判断部１０は異常ないと判断し、送受信部８から車載情報端末装置Ｎに動作指示が送信され、受信した車載情報端末装置Ｎは、ＨＤＤ３を使って車載情報端末装置Ｎを動作させる。
【００４９】
また、判断部１０が、ＨＤＤ３の動作が不安定であると判断すると（Ｓ２２、ＮＯ）、判断部１０は送受信部８を介して車載情報端末装置ＮのＨＤＤ３の記憶データを情報端末サーバＳに転送するよう動作指示を行う（Ｓ１６）。
【００５０】
そして、車載情報端末装置ＮがＨＤＤの記憶データを情報端末サーバに転送するよう動作指示を受信すると、ＣＰＵ２がＨＤＤ３の記憶データを情報端末サーバＳのバックアップ記憶部９に転送する（Ｓ１７）。そして、ＨＤＤ３の記憶データが全てバックアップ記憶部９に転送されたとＣＰＵ２が判断すると（Ｓ１８）、バックアップ記憶部９にＨＤＤ３の記憶データの転送を終了する（Ｓ１９）。
【００５１】
そして、車載情報端末装置ＮはＨＤＤ３から起動動作プログラムの読み込みを停止し（Ｓ１９）、第二記録部６に保存されている臨時起動動作プログラムを読み込み（Ｓ２０）、臨時起動動作プログラムで車載情報端末装置Ｎを起動させて動作させる（Ｓ２１）。
【００５２】
このように構成された情報端末システムＷは、車載情報端末装置Ｎに電源が投入されると、ＨＤＤ３に保存されている起動動作プログラムを読み込みを行い、ＨＤＤ３に保存されている起動動作プログラムが読み込みを失敗したときの診断結果を情報端末サーバＳの判断部１０に送信する。そして、判断部１０でＨＤＤ３から起動動作プログラムの読み込み失敗回数が１０回以上であると判断すると、ＨＤＤ３の記憶データをバックアップ記憶部９に転送して保存し、ＨＤＤ３の起動動作プログラムで起動できなくても臨時起動プログラムを用いて車載情報端末装置Ｎを使用することができる。また、ＨＤＤ３に保存されている起動動作プログラムを修復した後に、バックアップ記憶部９に保存されている記憶データをＨＤＤ３に転送することで、元の状態に戻して車載情報端末装置Ｎを使用することができる。
【００５３】
以上、第一の実施の形態及び第二の実施形態を用いて本発明について説明してきたが、本発明を限定するものではなく、種々の変更をしても同様の効果を得ることができる。図５は、他の実施の形態の情報端末システムを示すブロック図である。また、図６は、図５で示した他の実施の形態の情報端末システムのフロー図である。
【００５４】
例えば、図５に示すように、情報端末システムＷを車載情報端末装置Ｎと情報端末サーバＳから構成してもよい。具体的には、車載情報端末装置Ｎは、車載情報端末装置Ｎの情報を表示する表示部１と、車載情報端末装置Ｎを制御するＣＰＵ２と、車載情報端末装置Ｎを動作させるアプリケーションデータ、ソフトウエアデータが保存されたＨＤＤ３と、車載情報端末装置の動作時に使用するメモリ４と、ＨＤＤ３のデータをＣＰＵ２の指示に基づいて保存する第一記録部５と、ＣＰＵ２の指示に基づいて臨時に車載情報端末装置Ｎを起動させるプログラムを備えた第二記録部６と、情報端末サーバＳと通信を行う通信部７（送信手段、受信手段）を備えて構成し、情報端末サーバＳは実施の形態２で示した構成を用いて情報端末システムＷを構成しても同様の効果を得ることができる。
【００５５】
図６に示すように、車載情報端末装置Ｎに電源が投入（車のイグニッションキーＯＮ又はＡＣＣ電源ＯＮ）されると（Ｓ３０）、車載情報端末装置ＮのＨＤＤ３から車載情報端末装置Ｎを動作させるための起動動作プログラムが読み込むこまれる（Ｓ３１）。そして、ＣＰＵ２の診断部で起動動作プログラムの診断と共にＨＤＤ３の記録データを第一記録
部５に複製して保存する（Ｓ３２）。このとき、ＨＤＤ３から起動動作プログラムの読み込みに失敗すると（Ｓ３３、ＮＯ）、読み込みに失敗した診断結果を情報端末サーバＳに送信する（Ｓ３４）。そして送受信部８で車載情報端末装置Ｎの通信部７から送信されてきた診断結果を受信し、受信した診断結果から判断部１０でＨＤＤ３の動作状態を判断する（Ｓ３５）。
【００５６】
このとき、判断部１０は受信した診断結果から読み込み失敗回数が１０回未満で読み込むことができたか否かで判断し（Ｓ３６）、診断結果において読み込み失敗回数が１０回以上となった結果がある場合には（Ｓ３６、ＮＯ）、情報端末サーバＳの判断部１０は送受信部８を介して車載情報端末装置ＮのＨＤＤ３の記憶データを情報端末サーバＳに転送するように動作指示を行う（Ｓ３７）。
【００５７】
車載情報端末装置Ｎは、ＨＤＤ３の記憶データを情報端末サーバＳに転送するよう動作指示を受信すると、ＨＤＤ３の記憶データを情報端末サーバＳのバックアップ記憶部９に転送する（Ｓ３８）。そして、ＨＤＤ３の記憶データが全てバックアップ記憶部９に転送されたとＣＰＵ２が判断すると、バックアップ記憶部９にＨＤＤ３の記憶データの転送を終了する（Ｓ３９）。
【００５８】
そして、車載情報端末装置ＮはＨＤＤ３から起動動作プログラムの読み込みを停止し（Ｓ４０）、第二記録部６に保存されている臨時起動動作プログラムから（Ｓ４１）、車載情報端末装置Ｎを起動させる（Ｓ４２）。
【００５９】
なお、診断結果においてＨＤＤ３からの起動動作プログラムの読み込み回数が１０回未満で読み込みができたときは（Ｓ３６、ＹＥＳ）、判断部１０がＨＤＤ３の動作が不安定であるか否かを診断結果から判断する（Ｓ４３）。この時、ＨＤＤ３の動作が安定していると判断すると（Ｓ４３、ＹＥＳ）、ＨＤＤ３に対して判断部１０は異常ないと判断し、送受信部８から車載情報端末装置Ｎに動作指示が送信され、受信した車載情報端末装置Ｎは、ＨＤＤ３を使って車載情報端末装置Ｎを動作させる。
【００６０】
また、判断部１０が、ＨＤＤ３の動作が不安定であると判断すると（Ｓ４３、ＮＯ）、判断部１０は送受信部８を介して車載情報端末装置ＮのＨＤＤ３の記憶データを情報端末サーバＳに転送するよう動作指示を行う（Ｓ３７）。
【００６１】
そして、車載情報端末装置ＮがＨＤＤの記憶データを情報端末サーバに転送するよう動作指示を受信すると、ＣＰＵ２がＨＤＤ３の記憶データを情報端末サーバＳのバックアップ記憶部９に転送する（Ｓ３８）。そして、ＨＤＤ３の記憶データが全てバックアップ記憶部９に転送されたとＣＰＵ２が判断すると、バックアップ記憶部９にＨＤＤ３の記憶データの転送を終了する（Ｓ３９）。
【００６２】
そして、車載情報端末装置ＮはＨＤＤ３から起動動作プログラムの読み込みを停止し（Ｓ４０）、第二記録部６に保存されている臨時起動動作プログラムを読み込み（Ｓ４１）、臨時起動動作プログラムで車載情報端末装置Ｎを起動させて動作させる（Ｓ４２）。
【００６３】
このように構成された情報端末システムは、ＨＤＤ３の記憶データを第一記録部５とバックアップ記憶部９の両方に複製して保存するので、臨時起動動作プログラムで車載情報端末装置Ｎを動作している状態で、ＨＤＤ３に保存されている起動動作プログラムを修正又は修復した後に、情報端末システムＷと車載情報端末装置Ｎとの間の通信状態に影響を受けることなく元の状態に戻して車載情報端末装置Ｎを使用することができる。
【産業上の利用可能性】
【００６４】
以上のように、本発明にかかる車載情報端末装置及び情報端末システムは、車載情報端末装置の磁気記録媒体に保存されている起動動作プログラムの読み込みができなくなったとしても、臨時起動プログラムで車載情報端末装置を起動させることができると共に、磁気記録媒体の記録データを車載端末装置内や情報端末サーバにバックアップしているので、磁気記録媒体の起動動作プログラムを修復後に元の状態に戻して使用することができる車載情報端末装置及び情報端末システムとして有用である。
【図面の簡単な説明】
【００６５】
【図１】本発明の第１の実施の形態における車載情報端末装置の構成を示すブロック図
【図２】第一の実施の形態における車載情報端末装置の動作を示すフロー図
【図３】本発明の第２の実施の形態における車載情報端末装置と情報端末サーバで構成された情報端末システムの構成を示すブロック図
【図４】第２の実施の形態における車載情報端末装置の読み込み処理を示すフロー図
【図５】他の実施の形態の情報端末システムを示すブック図
【図６】図５で示した他の実施の形態の情報端末システムのフロー図
【符号の説明】
【００６６】
１  ・・・  表示部
２  ・・・  ＣＰＵ（集積回路）
３  ・・・  ＨＤＤ（ハードディスク）
４  ・・・  メモリ
５  ・・・  第一記録部
６  ・・・  第二記録部
７  ・・・  通信部
８  ・・・  送受信部
９  ・・・  バックアップ記憶部
１０  ・・・  判断部
Ｎ  ・・・  車載情報端末装置
Ｓ  ・・・  情報端末サーバ
Ｗ  ・・・  情報端末システム
【図１】
2007226284.tif 000003
【図２】
2007226284.tif 000004
【図３】
2007226284.tif 000005
【図４】
2007226284.tif 000006
【図５】
2007226284.tif 000007
【図６】
2007226284.tif 000008